(57)【要約】【課題】エアの供給・排出で簡単に操作でき、安定した姿勢を保持しながら浮かせたり、沈めたりすることができる入浴介護用昇降装置を提供すること。【解決手段】エアチューブ２ａで構成されエア充填状態で浴槽部に浮かべられる枠チューブ２と、この枠チューブ２のエア充填状態の上面に取り付けられ入浴者を載せるネット部材３と、エア充填状態の前記枠チューブ２の両側下部に一端が連結され他端が前記浴槽部に固定され前記ネット部材３と前記枠チューブ２の排気状態の略半円周長さとでネット沈降位置を規制する支持部材４とを備えているので、枠チューブ２のエアを排気することで、枠チューブ２を支える両側の支持部材４の長さ、排気状態の枠チューブ２の略半円周長さおよびネット部材３の幅とによってネット部材３の沈む沈降位置を定めることができ、安定した姿勢を保って沈めたり、浮かせたりすることができる。  これにより、エアの供給・排出だけで、簡単に入浴者の浴槽での昇降を行うことができ、入浴介護に要する負担を大幅に軽減することできる。【選択図】図１
2007222286.tif 000002
【特許請求の範囲】
【請求項１】
エアチューブで構成されエア充填状態で浴槽部に浮かべられる枠チューブと、この枠チューブのエア充填状態の上面に取り付けられ入浴者を載せるネット部材と、エア充填状態の前記枠チューブの両側下部に一端が連結され他端が前記浴槽部に固定され前記ネット部材と前記枠チューブの排気状態の略半円周長さとでネット沈降位置を規制する支持部材とを備えることを特徴とする入浴介護用昇降装置。
【請求項２】
前記両側の枠チューブ間に取り付けられ前記ネット部材の前記沈降位置を、浴槽中間に保持し得る中間支持部材を設けたことを特徴とする請求項1記載の入浴介護用昇降装置。
【請求項３】
前記枠チューブの空間部に浮力を増大し得るエアチューブで構成した補助チューブを設けたことを特徴とする請求項１または２記載の入浴介護用昇降装置。
【請求項４】
前記枠チューブおよび／または前記補助チューブの長さを、前記入浴者の頭部から膝部までとして構成したことを特徴とする請求項１〜３のいずれかに記載の入浴介護用昇降装置。
【請求項５】
前記枠チューブおよび／または前記補助チューブに、エアの充填・排気を制御する制御弁を設けたことを特徴とする請求項１〜４のいずれかに記載の入浴介護用昇降装置。
【発明の詳細な説明】
【技術分野】
【０００１】
この発明は、入浴介護用昇降装置に関し、訪問入浴介護などのため持ち運んで入浴させる場合など、入浴介護に好適なものである。
【背景技術】
【０００２】
訪問入浴介護や在宅入浴介護などの入浴介護では、入浴者を浴槽内の湯に浸したり、引き上げたりする必要があり、介護者に大きな負担や労力がかかっている。
【０００３】
病院などでは、入浴者を運ぶリフトなどの機械を設置することで、介護者への負担や労力を軽減できるものの、一般家庭では、家屋の構造上の制約や費用の点から普及していないのが現状である。
【０００４】
そこで、入浴介護の労力を軽減するため、特許文献1には、エアマットを吊具と吊り受具に連結しておき、エアを充填することでマット上の入浴者を浮かせたり、エアを排気することでマットとともに、沈めたりすることが開示されている（段落0022,0023参照）。
【０００５】
また、同文献１には、浴槽湯面上にネットを張り、そのネット上に入浴者を載せ、四方に取り付けたワイヤを伸縮させることで浮かせたり、沈めたりすることが開示されている（段落0025参照）。
【特許文献１】特開２００１−３４０４１８号公報
【発明の開示】
【発明が解決しようとする課題】
【０００６】
このような従来の入浴介護に用いるエアマットでは、入浴者の荷重を均一にエアマットで支持することができず、エアを排気すると、臀部が先に沈んでエアマットが前後にＶ字状に折れ曲がったり、逆にエアを充填すると、荷重の小さい足部が先に浮き上がるなど、エアの給排だけでは入浴者の姿勢を安定した状態で保持することができないという問題がある。
【０００７】
一方、ネットをワイヤで支持するものでは、エア式のものに比べ、姿勢を安定させることができるが、ワイヤに入浴者の体重が作用するため、操作に大きな力が必要となるなどの問題がある。
【０００８】
この発明は、上記従来技術の問題点に鑑みてなされたもので、エアの供給・排出で簡単に操作でき、安定した姿勢を保持しながら浮かせたり、沈めたりすることができる入浴介護用昇降装置を提供しようとするものである。
【課題を解決するための手段】
【０００９】
上記従来技術の課題を解決するため、この発明の請求項１記載の入浴介護用昇降装置は、エアチューブで構成されエア充填状態で浴槽部に浮かべられる枠チューブと、この枠チューブのエア充填状態の上面に取り付けられ入浴者を載せるネット部材と、エア充填状態の前記枠チューブの両側下部に一端が連結され他端が前記浴槽部に固定され前記ネット部材と前記枠チューブの排気状態の略半円周長さとでネット沈降位置を規制する支持部材とを備えることを特徴とするものである。
【００１０】
また、この発明の請求項２記載の入浴介護用昇降装置は、請求項１記載の構成に加え、前記両側の枠チューブ間に取り付けられ前記ネット部材の前記沈降位置を、浴槽中間に保持し得る中間支持部材を設けたことを特徴とするものである。
【００１１】
さらに、この発明の請求項３記載の入浴介護用昇降装置は、請求項１または２記載の構成に加え、前記枠チューブの空間部に浮力を増大し得るエアチューブで構成した補助チューブを設けたことを特徴とするものである。
【００１２】
また、この発明の請求項４記載の入浴介護用昇降装置は、請求項１〜３のいずれかに記載の構成に加え、前記枠チューブおよび／または前記補助チューブの長さを、前記入浴者の頭部から膝部までとして構成したことを特徴とするものである。
【００１３】
さらに、この発明の請求項５記載の入浴介護用昇降装置は、請求項１〜４のいずれかに記載の構成に加え、前記枠チューブおよび／または前記補助チューブに、エアの充填・排気を制御する制御弁を設けたことを特徴とするものである。
【発明の効果】
【００１４】
この発明の請求項１記載の入浴介護用昇降装置によれば、エアチューブで構成されエア充填状態で浴槽部に浮かべられる枠チューブと、この枠チューブのエア充填状態の上面に取り付けられ入浴者を載せるネット部材と、エア充填状態の前記枠チューブの両側下部に一端が連結され他端が前記浴槽部に固定され前記ネット部材と前記枠チューブの排気状態の略半円周長さとでネット沈降位置を規制する支持部材とを備えているので、枠チューブのエアを排気することで、枠チューブを支える両側の支持部材の長さ、排気状態の枠チューブの略半円周長さおよびネット部材幅とによってネット部材の沈む沈降位置を定めることができ、安定した姿勢を保って沈めたり、浮かせたりすることができる。
【００１５】
これにより、エアの供給・排出だけで、簡単に入浴者の浴槽での昇降を行うことができ、入浴介護に要する負担を大幅に軽減することできる。
【００１６】
また、この発明の請求項２記載の入浴介護用昇降装置によれば、前記両側の枠チューブ間に取り付けられ前記ネット部材の前記沈降位置を、浴槽中間に保持し得る中間支持部材を設けたので、ネット部材の沈降位置を中間支持部材の長さで変えることができ、浴槽中間部とすることで、ハンモックのように支持することができる。
【００１７】
さらに、この発明の請求項３記載の入浴介護用昇降装置によれば、前記枠チューブの空間部に浮力を増大し得るエアチューブで構成した補助チューブを設けたので、入浴者の体重によらず必要な浮力を確保して入浴介護することができる。
【００１８】
また、この発明の請求項４記載の入浴介護用昇降装置によれば、前記枠チューブおよび／または前記補助チューブの長さを、前記入浴者の頭部から膝部までとして構成したので、足湯状態での入浴介護も可能となり、入浴介護の態様が増加し、より快適な入浴を介護することができる。
【００１９】
さらに、この発明の請求項５記載の入浴介護用昇降装置によれば、前記枠チューブおよび／または前記補助チューブに、エアの充填・排気を制御する制御弁を設けたので、制御弁の開閉制御で、簡単に入浴者を浮かべたり、沈めたりすることができる。
【発明を実施するための最良の形態】
【００２０】
以下、この発明の一実施の形態について図面を参照して詳細に説明する。  
図１〜図４は、この発明の入浴介護用昇降装置の一実施の形態にかかり、図１は平面図、図２は縦断面状態の浴槽への装着状態で示す説明図、図３は浴槽への装着状態で示す横断面図、図４はエアの供給・排出による昇降状態の説明横断面図である。
【００２１】
この入浴介護用昇降装置１は、空気膨張式のエアチューブで構成された枠状に構成した枠チューブ２を備えており、浴槽部に設置され、湯に浮かべて使用され、例えば、図２および図３に示すように、訪問入浴介護に適したエア式浴槽１０に設置されて使用される。
【００２２】
この入浴介護用昇降装置１では、枠チューブ２が断面形状において円形のエアチューブ２ａを、浴槽の幅の内側に入れることができる幅で、長さが入浴者の頭部から膝上部分位までを載せることができる長さとされて矩形の枠状に形成してある。
【００２３】
この枠チューブ２のエア充填状態とした上面に入浴者を載せるネット部材３が平面ファスナなどで着脱できるように取り付けてあり、ネットとすることで、浴槽内で昇降させる場合の水の抵抗を抑えるとともに、水切れを良くする。
【００２４】
このようなネット部材３が上面に取り付けられた枠チューブ２のエアを排気することで、ネット部材３上の入浴者を浴槽に沈めるようにするが、何ら規制をしない自由状態では、入浴者の臀部など重い部分が先に沈み安定した状態で沈ませたり、エアを充填して上昇させることができない。
【００２５】
そこで、この入浴介護用昇降装置１では、エア充填状態の枠チューブ２の浴槽の両側に位置する下部にそれぞれ一端４ａが取り付けられる支持部材４が設けられ、耐水性のあるベルトで構成され、他端４ｂが浴槽部に固定できるように、図示しないワンタッチ式の連結具が設けてある。
【００２６】
そして、この支持部材４が枠チューブ２の両側にそれぞれ複数箇所、例えば図１に示すように、片側に２箇所ずつ取り付けてある。なお、２本の支持部材４に代え、広幅とした１本の支持部材で構成することもできる。
【００２７】
また、エア充填状態の枠チューブ２の浴槽の両側に位置する下部間を連結するように耐水性のあるベルトで構成した中間支持部材５が取り付けてあり、入浴者の背中部分に対応する位置に配置してある。
【００２８】
このような支持部材４および中間支持部材５を設けた入浴介護用昇降装置１では、図４（ａ）に示す枠チューブ２にエアを充填した状態から、エアを排気すると、枠チューブ２を構成するエアチューブ２aがつぶれながら沈むことになるが、エアチューブ２ａの下部に取り付けた支持部材４の一端４ａの高さがほとんど変化せず、エアチューブ２ａが略半円周の長さのベルト状になるとともに、入浴者の体重でネット部材３が沈み込むことから、図４（c）に示すように、ネット部材３を浴槽底部まで沈めることができる。
【００２９】
これにより、枠チューブ２の前後左右の位置を４本の支持部材４で規制しながらネット部材３ごと浴槽に沈めるように下降させることができ、ネット部材３上の入浴者を湯に入れることができる。
【００３０】
また、中間支持部材５は、エア充填状態の枠チューブ２の両側のエアチューブ２aの下部同士を連結する長さとすることで、図４（ｂ）に示すように、エアチューブ２ａのつぶれの影響を受けずに両側の支持部材４、４と中間支持部材５の長さでネット部材３の沈降位置が規制され、浴槽中間にネット部材３を位置させることができる。
【００３１】
これにより、ネット部材３上の入浴者の姿勢をハンモックに寝ているように支持することができ、入浴介護に適した姿勢にすることができる。
【００３２】
一方、このようにネット部材３ごと枠チューブ２を浴槽に沈めた状態から、枠チューブ２にエアを充填すると、枠チューブ２を構成するエアチューブ２ａが膨らむこと自体と、これによって得られる浮力とで、枠チューブ２が浮き上り、図４（a）に示すように、浴槽上部にネット部材３が上昇した状態となる。
【００３３】
この枠チューブ２およびネット部材３の上昇に際して、枠チューブ２が４本の支持部材４で浴槽に支持してあるので、前後左右の位置が規制されたまま上昇し、安定した姿勢を保つことができる。
【００３４】
また、入浴者をネット部材３を介して支持しているので、浴槽内に沈めたり、浮き上るようにする場合に、ネット部分から水が抜け、昇降の際の水の抵抗を軽減することができるとともに、水切れも良く、短時間に入浴介護することができる。
【００３５】
さらに、枠チューブ２の長さを入浴者の膝部分までとしてあるので、枠チューブ２を湯に浮かべた上昇位置で、足先だけを湯に浸ける足湯状態にすることもでき、入浴介護の形態を増大することができる。
【００３６】
なお、この入浴介護用昇降装置１では、枠チューブ２からのエアの排気で浴槽内に沈めることができ、エアを充填することで浮き上るようにすることができるが、エアの排気速度や充填速度を枠チューブ２に制御弁を設けて制御することで、下降速度や上昇速度を調整することができ、急激な昇降を防止して入浴者に不安を与えることなく入浴介護することができる。
【００３７】
また、入浴者の体重などによっては、枠チューブ２だけで浮力が不足する場合があり、この場合には、枠チューブ２の枠の空間部にエアチューブで構成した補助チューブ６を配置し、枠チューブ２と配管やホースで連通させるとともに、エア充填状態のエアチューブ６aの頂部とネット部材３とを連結する。
【００３８】
こうすることで、補助チューブ６により浮力の増大を図ることができるとともに、沈み込ませる場合に水の抵抗となるなど何ら支障とならないようにすることができる。
【００３９】
さらに、図５に示すように、入浴介護用昇降装置１Ａとしては、足湯状態での入浴介護が必要ない場合には、入浴者の全身を載せることができる長さの枠チューブ２Ａとネット部材３Ａとを組み合わせて構成することもできる。
【００４０】
次に、この発明の入浴介護用昇降装置１、１Ａと組み合わせて訪問入浴介護や在宅入浴介護に適したエア式浴槽１０について、説明する。
【００４１】
エア式浴槽１０は、空気膨張式のエアチューブで構成した浴槽部１１と、この浴槽部１１の浴槽底面１１aをフロア上から離した状態で支える空気膨張式のエアチューブで構成した架台部１２と、これら架台部１２と浴槽部１１との間に設けられ少なくとも浴槽部１１の水が入れられる部分の浴槽底面11aを支持する折り畳み可能な分割式底面板１３とを備えて構成されている。
【００４２】
空気膨張式のエアチューブで構成した浴槽部１１は、円形断面のエアチューブ1４aを浴槽としての空間を備えた長方形の枠状に形成した枠状チューブ14を複数段（図示例では、３段）積層することで浴槽側壁１１bが構成されている。
【００４３】
この浴槽部１１の各枠状チューブ１４がそれぞれ円形断面の頂部同士を、接着剤で連結して一体化したり、平面ファスナなどで、損傷した場合に交換可能に連結されて一体化してある。
【００４４】
この浴槽部１１の下部に設けられる空気膨張式のエアチューブで構成される架台部１２は、円形断面のエアチューブ１５aを長方形の枠状に形成した枠状チューブ１５で構成され、この枠状チューブ１５の上面に底面シート１６が取り付けられて塞がれている。
【００４５】
そして、この架台部１２の枠状チューブ１５上に底面シート１６を介して浴槽部１１の最下段の枠状チューブ１４が載置されて浴槽部１１を支持するようになっており、架台部１２の枠状チューブ１５と浴槽部１１の枠状チューブ１４とが接着剤や平面ファスナなどで積層連結されて一体化され、浴槽部１１と底面シート１６とで底付きの容器としての浴槽を形成するようになっている。
【００４６】
このエア式浴槽１０では、架台部１２の枠状チューブ１５の外形寸法を、例えば浴槽部１１の枠状チューブ１４と同一寸法とし、チューブ径Ｄ２を浴槽部１１のチューブ径Ｄ１より大きくしてある。
【００４７】
これにより、架台部１２の枠状チューブ１５の内側寸法は小さくなり、架台部１２の枠状チューブ１５の頂部が浴槽部１１の枠状チューブ１４の頂部の内側に位置した状態で接着剤や平面ファスナなどで積層連結されて一体化してある。
【００４８】
そして、架台部１２の底面シート１６と枠状チューブ１５との間の少なくとも水を入れる部分の浴槽底部１１aに分割式底面板１３が配置され、その幅方向両側が上下の枠状チューブ１４、１５に挟まれるとともに、図示省略したが、長手方向の位置が底面シート１６に取り付けた支持ベルトで押さえられている。
【００４９】
このエア式浴槽１０では、浴槽部１１内に、シートを用いて立体容器形状に成形したインナ浴槽部材１８が装着され、このインナ浴槽部材１８に身体部１１ｃと洗髪部１１ｄを水密に仕切る仕切り部１８ａが設けてあり、それぞれの底部に排水口１８ｂ，１８ｃが取り付けてある。
【００５０】
このインナ浴槽部材１８を装着した浴槽部１１では、仕切り部１８ａで仕切られた身体を入浴させる身体部１１ｃにのみ水（温水も含む意）を入れ、洗髪部１１ｄでは，流水を用いて洗髪を行うようにしてあり、身体部１１ｃの浴槽底部１１ａにのみ分割式底面板１３が配置され、例えば図示例のように３つに分割した板１３ａを折り畳むことができる間隔、例えば１００mm程度の間隔をあけて配置してある。
【００５１】
したがって、このエア式浴槽１０では、浴槽部１１のチューブ径Ｄ１と架台部１２のチューブ径Ｄ２を変えることで、分割式底面板１３の各板１３ａは、架台部１２の枠状チューブ１５の頂点で支えられて浴槽底部１１ａの荷重を支持することができ、確実に架台部１２に荷重を枠状チューブ１５全体に伝達して支持することができる。
【００５２】
また、分割式底面板１３を用いて浴槽底部１１ａを支持することで、架台部１２の高さだけフロア面から離れた位置に浴槽底部１１ａを配置しても水圧により浴槽底部１１ａが撓むことなどの支障なく、エア式浴槽１０を構成することができる。
【００５３】
これにより、架台部１２の高さを調整することで、入浴介護に適した膝立ち姿勢での介護作業を行うことが可能となる。
【００５４】
そして、洗髪部１１ｄ内には、仕切り部１８ａを介して身体部１１ｃ内の水圧を支持するとともに、入浴者の頭部を支える空気膨張式のエアチューブ１９ａで構成した支持用チューブ１９が設けてある。
【００５５】
このように構成したエア式浴槽１０では、浴槽部１１を構成する枠状チューブ１４および架台部１２を構成する枠状チューブ１５の図示しないエア供給口にエアコンプレッサを接続してエアを供給することで膨張させて浴槽部１１および架台部１２を組み立てる。このエア供給による組立は、例えば枠状チューブ１４，１５の圧力を予め設定しておき、設定圧力でコンプレッサを停止するようにすることで、自動化することができ、この間に他の入浴介護に必要な準備作業などを行うことができる。
【００５６】
こうして浴槽部１１および架台部１２の組立が完了した後、浴槽部１１内にシートで成形したインナ浴槽部材１８を装着し、浴槽部１１の最上部の枠状チューブ１４に平面ファスナ等で固定し、支持用エチューブ１９にもエアを供給し膨張させる。
【００５７】
そして、この支持用チューブ１９に載せるように入浴介護用昇降装置１の枠チューブ２を配置し、支持部材４の他端４ｂをそれぞれ浴槽に固定した後、枠チューブ２にエアを供給する。
【００５８】
この後、浴槽部１１の身体部１１ｃに水を入れ、入浴できる状態とし、入浴介護用昇降装置１のネット部材３上に入浴者を寝かせるようにし、既に説明したように、この入浴介護用昇降装置１のエアの排気と充填とを行って昇降させることで、入浴させる。
【００５９】
また、洗髪を行う場合には、洗髪部１１ｄの底部の排水口１８ｃから排水できるようにしておき、シャワーなどを用いて流水で洗髪するようにする。
【００６０】
こうして入浴および洗髪が完了した後、身体部１１ｃおよび洗髪部１１ｄの底部の排水口１８ｂ、１８ｄから排水した後、インナ浴槽部材１８を取り外し、浴槽部１１および架台部１２の枠状チューブ１４，１５のエアを排気し、分割式底面板１３の各板１３ａの間隔を利用して折り畳むようにする。
【００６１】
このようなエア式浴槽１０によれば、浴槽部１１の下部に分割式底面板１３を設け、この分割式底面板１３を架台部１２の枠状チューブ１５で支える構造としたので、浴槽底部１１ａをフロアから架台部１２の高さ分だけ高くしても水圧や入浴者で撓むことなく、剛性を確保することができ、安定した状態で荷重を支持することができ、しかもこれまでのエア式の浴槽と同様に、折り畳むことができる。
【００６２】
また、架台部１２の枠状チューブ１５のチューブ径Ｄ２や枠状チューブ１５の積層数を２段などに変えることで、高さの調整が簡単にでき、膝立ち姿勢での介護に適する高さや立った姿勢での介護に適した高さのエア式浴槽にすることもできる。
【００６３】
さらに、従来のエア式の架台とパイプ式の架台を組み合わせて用いるものに比べ、安定性に優れるとともに、構造がシンプルで組み立てや折り畳みが簡単にできる。
【００６４】
また、FRPなどの合成樹脂製の分割式の浴槽に比べ、軽量であり、運搬性に優れるとともに、組み立ても容易にできる。
【００６５】
このようなエア式浴槽と入浴介護用昇降装置を組み合わせることで、一層効率的に訪問入浴介護や在宅入浴介護を行うことができる。
【００６６】
なお、ここでは、浴槽部に仕切り部を備えるインナ浴槽部材を装着して身体槽と洗髪槽の２槽を備えるエア式浴槽を例に説明したが、仕切り部のないインナ浴槽部材を装着して1槽だけのエア式浴槽としてもよく、インナ浴槽部材を使用せず浴槽部だけで水密構造の浴槽を構成するようにしても良い。
【００６７】
また、架台部の枠状チューブは環状に連結したものに限らず、一部分のないものとし、配管などを通すスペースとするにしても良い。
【００６８】
さらに、枠チューブ２、補助チューブ６、枠状チューブ１４,１５や支持用チューブ１９を構成するエアチューブ２ａ，６ａ，１４ａ，１５ａ，１９ａの材料などについての説明を省略したが、通常、エアマットやエアボートに用いられている材料を用いることができる。
【図面の簡単な説明】
【００６９】
【図１】この発明の入浴介護用昇降装置の一実施の形態にかかる平面図である。
【図２】この発明の入浴介護用昇降装置の一実施の形態にかかる縦断面状態の浴槽への装着状態で示す説明図、である。
【図３】この発明の入浴介護用昇降装置の一実施の形態にかかる浴槽への装着状態で示す横断面図である。
【図４】この発明の入浴介護用昇降装置の一実施の形態にかかる  エアの供給・排出による昇降状態の説明横断面図である。
【図５】この発明の入浴介護用昇降装置の他の一実施の形態にかかる縦断面状態の浴槽への装着状態で示す説明図および浴槽への装着状態で示す横断面図である。
【符号の説明】
【００７０】
１，１Ａ          入浴介護用昇降装置
２，２            枠チューブ
２ａ              エアチューブ
３                ネット部材
４                支持部材
４ａ              一端
４ｂ              他端
５                中間支持部材
６                補助チューブ
６ａ              エアチューブ
１０，１０Ａ      エア式浴槽
１１              浴槽部
１１ａ            浴槽底部
１１ｂ            浴槽側壁
１１ｃ            身体部
１１ｄ            洗髪部
１２              架台部
１３              分割式底面板
１３ａ            板
１４              枠状チューブ（浴槽部）
１４ａ            エアチューブ
１５              枠状チューブ（架台部）
１５ａ            エアチューブ
１６              底面シート
１７              支持ベルト
１８              インナ浴槽部材
１８ａ            仕切り部
１８ｂ、１８ｃ    排水口
１９              支持用チューブ
１９ａ            エアチューブ
Ｄ１              浴槽部のチューブ径
Ｄ２              架台部のチューブ径
【図１】
2007222286.tif 000003
【図２】
2007222286.tif 000004
【図３】
2007222286.tif 000005
【図４】
2007222286.tif 000006
【図５】
2007222286.tif 000007